(57)【要約】【課題】屋根上における太陽電池モジュールの設置箇所によって太陽電池モジュールを設計変更することなく、代替え屋根瓦部の防水効果を高める。【解決手段】太陽電池モジュール１０の保持枠１２と、隣接する太陽電池モジュール１０の保持枠１２との突き合わせ部の下方に、屋根の傾斜方向に沿った水路を形成するように、保持枠１２から分離された水切り部材２０Ａが設けられており、水切り部材２０Ａ内に、水切り部材２０Ａと該水切り部材２０Ａの上方の保持枠１２との間をシールする弾性シール材３０Ａが設けられている。【選択図】　図１
2004044280.tif 000002
【特許請求の範囲】
【請求項１】
太陽電池モジュール本体の周縁部に保持枠が設けられた太陽電池モジュールが、屋根瓦に代えて、前記屋根の水平方向に配列されて屋根に取り付けられた太陽電池モジュール取付構造であって、
各太陽電池モジュールの保持枠と、隣接する太陽電池モジュールの保持枠又は屋根瓦との突き合わせ部の下方に、前記屋根の傾斜方向に沿った水路を形成するように、保持枠から分離された水切り部材が設けられており、該水切り部材内に、該水切り部材と、該水切り部材の上方の保持枠との間をシールする弾性シール部材が設けられていることを特徴とする太陽電池モジュール取付構造。
【請求項２】
前記水切り部材は、太陽電池モジュールの保持枠を屋根上に固定するネジにより、前記弾性シール部材と共に屋根上に固定されている請求項１に記載の太陽電池モジュール取付構造。
【請求項３】
前記弾性シール部材は、前記水切り部材上に位置する保持枠の横幅にほぼ等しい横幅を有する請求項１に記載の太陽電池モジュール取付構造。
【請求項４】
前記屋根瓦は、一方の側部にその側部の上部から側方に突出した庇部を有すると共に、他方の側部に、その側部の上部から側方に突出した突部を有しており、前記弾性シール部材は、前記突部より厚く設計されている請求項１に記載の太陽電池モジュール取付構造。
【請求項５】
前記弾性シール部材は、上面又は下面に突起を有する請求項１に記載の太陽電池モジュール取付構造。
【請求項６】
前記保持枠は、軒側の端部が、軒側に配置された保持枠の棟側の端部上に、水平方向の取り付け金具を介して固定されている請求項１に記載の太陽電池モジュール取付構造。
【発明の詳細な説明】
【０００１】
【発明の属する技術分野】
本発明は、住宅用太陽光発電システムに使用される太陽電池モジュールの取付構造に関し、より具体的には、太陽電池モジュール設置箇所における屋根瓦を太陽電池モジュールに置き換える瓦置き換え式の太陽電池モジュールの取付構造に関する。
【０００２】
【従来の技術】
住宅用の太陽光発電システムに使用される太陽電池モジュールを屋根上に設置するためのモジュール取付構造の一つとして、太陽電池モジュール設置箇所における屋根瓦を太陽電池モジュールに置き換える形式がある。瓦置き換え式などと呼ばれるこの形式では、屋根瓦を兼ねる太陽電池モジュールが、屋根瓦に代えて屋根上に設置される。このような瓦置き換え式太陽電池モジュールの従来例の一つが特開平１１−２００５６１号公報に記載されている。
【０００３】
特開平１１−２００５６１号公報に記載された太陽電池モジュールでは、図６に示すように、屋根下地５０の上に所定数の太陽電池モジュール９０が屋根瓦６０に代えて傾斜方向及び水平方向に配列されている。ここで、傾斜方向とは、屋根の棟から軒に向かう縦方向であり、水平方向とは傾斜の方向に直角な横方向である。
【０００４】
個々の太陽電池モジュール９０は、長方形状の太陽電池モジュール本体９１と、これを内側に保持する保持枠９２とを備えている。保持枠９２は、一対の縦枠９３Ｌおよび９３Ｒの両端部同士を、横枠（図示せず）によって連結した長方形の枠形状になっている。一方の縦枠９３Ｌは、太陽電池モジュール本体９１の側縁部が嵌合する溝部が内側面に設けられた縦枠本体９３ａと、この縦枠本体９３ａの下端部から外側へ水平に延出した下側アンダーラップ片９４とを有している。また、他方の縦枠９３Ｒは、太陽電池モジュール本体９１の縁部が嵌合する溝部が内側面に設けられた縦枠本体９３ｂと、該縦枠本体９３ｂの上端部から外側へ水平に延出した上側オーバーラップ片９５とを有している。
【０００５】
下側アンダーラップ片９４の先端部は、上方に向かってほぼ直角に折れ曲がっており、上側オーバーラップ片９５の先端部は、下方に向かってほぼ直角に折れ曲がっている。
【０００６】
このような太陽電池モジュール９０は、屋根瓦と同様、屋根下地５０の上に傾斜方向及び水平方向に所定の重なりをもって配列され、両側の縦枠９３Ｌおよび９３Ｒが取り付け板１００を介して、ネジ１１０によって屋根下地５０に固定されている。
【０００７】
水平方向に配列された複数の太陽電池モジュール９０に注目すると、隣接する太陽電池モジュール９０の間は、下側アンダーラップ片９４に上側オーバーラップ片９５が相互に重なることによって、シールされて、各太陽電池モジュール９０の太陽電池モジュール本体９１がそれぞれ防水されている。水平方向の一方の端部に配置された太陽電池モジュール９０と、その外側の屋根瓦６０との間は、その屋根瓦６０の下に下側アンダーラップ片９４が配置されることによってシールされて、その太陽電池モジュール９０の太陽電池モジュール本体９１が防水されている。
【０００８】
また、水平方向の他方の端部に配置された太陽電池モジュール９０と、その外側の屋根瓦６０との間は、断面がＬ字形状の水切り板１２０と、その水平部上に配置された弾性防水材１３０とによってシールされており、その太陽電池モジュール９０の太陽電池モジュール本体９１が防水されている。
【０００９】
このような太陽電池モジュールの取付構造では、水平方向に隣接する太陽電池モジュール９０の間に、一方の太陽電池モジュール９０の保持枠９２における縦枠９３Ｌに設けられた下側アンダーラップ片９４によって、水切り用の水路が形成されており、他方の太陽電池モジュール９０の保持枠９２における縦枠９３Ｒに設けられたオーバーラップ片９５と、その隣の縦枠９３Ｌとの隙間から浸入する雨水は、縦枠９３Ｌに設けられた下側アンダーラップ片９４によって形成された水切り用の水路を流れる。そして、太陽電池モジュール９０が屋根瓦と同様に縦方向に重なりをもって配列されることにより、雨水は、傾斜方向の下方に配置された太陽電池モジュール９０の下側アンダーラップ片９４に流下する。
【００１０】
このような構成によって、隣接する太陽電池モジュール９０の間から浸入する雨水は、流量を増しながらこの水路を棟側から軒側の方向へ流れることになる。
【００１１】
【発明が解決しようとする課題】
隣接する太陽電池モジュール９０の間に形成される水切り用の水路を流れる雨水の流量は、太陽電池モジュール９０の設置箇所によって大きく異なる。即ち、屋根上の棟に近い部分に太陽電池モジュール９０を設置した場合は、水路を流れる雨水の流量は少ないが、屋根上の軒に近い部分に太陽電池モジュール９０を設置した場合は、この流量は多くなる。このように、下側アンダーラップ片９４内を雨水の流量が多くなると下側アンダーラップ片９４内の雨水がオーバーフローして、太陽電池モジュール本体９１の裏面に流入するおそれがある。このため、太陽電池モジュール９０の設置箇所によって、下側アンダーラップ片９４によって形成される水路の幅、深さ等を設計変更する必要がある。
【００１２】
しかしながら、従来の太陽電池モジュール９０においては、水切り用の水路を形成する下側アンダーラップ片９４は、その保持枠９２の一方の縦枠９３Ｌに一体的に形成されている。このため、下側アンダーラップ片９４を設計変更する場合には、太陽電池モジュール９０の保持枠９３全体を設計変更する必要があり、下側アンダーラップ片９４を設計変更することが容易でないという問題がある。
【００１３】
屋根の傾斜方向の異なる位置に太陽電池モジュール９０が配置される場合においても、下側アンダーラップ片９４を設計変更しない場合には、傾斜方向の下側に配置される太陽電池モジュール９０の太陽電池モジュール本体９１裏面に対する防水が不完全になるおそれがある。
【００１４】
また、屋根の傾斜方向の異なる位置に太陽電池モジュール９０が配置されることに対応するように、所定の形状に形成された下側アンダーラップ片９４を有する保持枠９２を予め準備する場合には、製造および保管等のコストが上昇し、経済性が損なわれるおそれがある。
【００１５】
このような問題は、太陽電池モジュール９０の保持枠９２における下側アンダーラップ片９４が、屋根瓦６０の側部と重なる場合にも発生する。
【００１６】
本発明は、このような問題を解決するものであり、その目的は、屋根における傾斜方向のいずれの位置に太陽電池モジュールが配置されても、太陽電池モジュールを設計変更することなく、太陽電池セルを確実に防水することができる太陽電池モジュールの取付構造を提供することにある。
【００１７】
【課題を解決するための手段】
本発明の太陽電池モジュール取付構造は、太陽電池モジュール本体の周縁部に保持枠が設けられた太陽電池モジュールが、屋根瓦に代えて、前記屋根の水平方向に配列されて屋根に取り付けられた太陽電池モジュール取付構造であって、各太陽電池モジュールの保持枠と、隣接する太陽電池モジュールの保持枠または屋根瓦との突き合わせ部の下方に、前記屋根の傾斜方向に沿った水路を形成するように、保持枠から分離された水切り部材が設けられており、該水切り部材内に、該水切り部材と、該水切り部材の上方の保持枠との間をシールする弾性シール部材が設けられていることを特徴とする。
【００１８】
前記水切り部材は、太陽電池モジュールの保持枠を屋根上に固定するネジにより、前記弾性シール部材と共に屋根上に固定されている。
【００１９】
前記弾性シール部材は、前記水切り部材上に位置する保持枠の横幅にほぼ等しい横幅を有する。
【００２０】
前記屋根瓦は、一方の側部にその側部の上部から側方に突出した庇部を有すると共に、他方の側部に、その側部の上部から側方に突出した突部を有しており、前記弾性シール部材は、前記突部より厚く設計されている。
【００２１】
前記弾性シール部材は、上面又は下面に突起を有する。
前記保持枠は、軒側の端部が、軒側に配置された保持枠の棟側の端部上に、水平方向の取り付け金具を介して固定されている。
【００２２】
【発明の実施の形態】
以下に本発明の実施の形態を図面を参照しながら説明する。
【００２３】
図１および図２は、本発明の太陽電池モジュール取付構造の実施形態の一例を示す断面図である。この太陽電池モジュール取付構造は、住宅屋根の一部に太陽電池モジュール１０を設置するために使用され、屋根下地５０の上に葺かれた屋根瓦６０に代えて、本発明の太陽電池モジュール１０が設置される。
【００２４】
屋根瓦６０は、石綿スレート瓦、金属瓦等の平板瓦である。この屋根瓦６０は、平板状の瓦本体部６１を有しており、瓦本体部６１の両側の側部下面に、下方に突出するように形成された形成された支持部６１ａがそれぞれ設けられている。瓦本体部６１における一方の支持部６１ａの上部には、側方に突出した庇部６２が、瓦本体部６１と一体的に設けられている。また、図２に示すように、瓦本体６１に設けられた他方の支持部６１ａの下部には、側方に突出する突部６３が、支持部６１ａと一体的に設けられている。
【００２５】
このような屋根瓦６０は、屋根下地５０の上に瓦桟７０を利用して屋根に固定される。瓦桟７０は、図３に示すように、屋根の棟から軒に向かう傾斜方向に直角な水平方向に沿った状態で、その傾斜方向に、屋根瓦６０の取り付けピッチと同じピッチで屋根下地５０の上に取り付けられている。そして、屋根瓦６０は、棟側の端部が、瓦桟７０上に配置され、軒側の端部が、その屋根瓦６０に対して軒側に配置された屋根瓦６０の棟側の端部上に重ねられる。このようにして、所定数の屋根瓦６０が傾斜方向に沿って配列される。
【００２６】
一方、水平方向においては、屋根瓦６０は、一方の側縁部に形成された庇部６２を、隣接する屋根瓦６０の他方の側縁部に形成された突部６３に重ねられる。このようにして、所定数の屋根瓦６０が水平方向に沿って配列される。
【００２７】
このように配列される屋根瓦６０の一部に代えて、太陽電池モジュール１０が屋根上に設置される。太陽電池モジュール１０は、傾斜方向および水平方向にそれぞれ連続した複数の屋根瓦６０にそれぞれ代えて配置され、屋根における長方形の面積に対応して配置される。従って、水平方向に並んで配置された太陽電池モジュール１０の両側には、それぞれ、屋根瓦６０が設けられており、また、傾斜方向に並んで配置された太陽電池モジュール１０の両側にも、それぞれ、屋根瓦６０が設けられている。
【００２８】
太陽電池モジュール１０は、長方形状の太陽電池モジュール本体１１と、この太陽電池モジュール本体１１を内側に保持する長方形状の保持枠１２とを備えている。保持枠１２は、屋根の傾斜方向に延びる一対の縦枠１２ａと、水平方向に延びる一対の横枠（図示せず）とを組み合わせた長方形の枠形状に形成されており、縦枠１２ａおよび横枠の内側面に、太陽電池モジュール本体１１の各側縁部が嵌合する保持溝１２ｂが形成されている。保持枠１２における屋根の傾斜方向の寸法は、屋根瓦６０の同方向の寸法と実質的に同一になっている。保持枠１２の水平方向の寸法は、屋根瓦６０の水平方向の配列ピッチの整数倍にほぼ等しくなっている。
【００２９】
太陽電池モジュール１０は、屋根下地５０上に傾斜方向及び水平方向に所定の個数ずつ並べて配置され、それぞれの保持枠１２を、ネジ釘４０によって屋根下地５０上の瓦桟７０に固定することにより、屋根下地５０上に設置される。
【００３０】
屋根の傾斜方向においては、所定数の太陽電池モジュール１０が、屋根瓦６０と同様に、所定の重なりをもって屋根下地５０上に配列される。各太陽電池モジュール１０は、図３に示すように、棟側の端部が瓦桟７０上に載せられており、軒側の端部が、瓦桟７０上に載せられた軒側に隣接する太陽電池モジュール１０の棟側の端部上に、取り付け金具８０によって固定されている。
【００３１】
取り付け金具８０は、Ｌ字形状のアングルであり、その水平部が瓦桟７０上に載せられた軒側に隣接する太陽電池モジュール１０の棟側の端部と共に、瓦桟７０に固定されており、その垂直部が、棟側に位置する太陽電池モジュール１０の軒側の端面に固定されている。
【００３２】
太陽電池モジュール１０は、屋根瓦６０の突部６３が隣接する場合には、保持枠１２の一部が、その突部６３の上方に配置される。
【００３３】
屋根の水平方向に沿って配置された太陽電池モジュール１０の間は、第１の水切り部材２０Ａ（図１参照）によって防水されている。また、太陽電池モジュール１０と隣接する屋根瓦６０の庇部６２との間は、第２の水切り部２０Ｂ（図１参照）によって防水されており、さらに、太陽電池モジュール１０と隣接する屋根瓦６０の庇部６２との間は、さらに第３の水切り部２０Ｃ（図２参照）によって防水されている。
【００３４】
第１の水切り部材２０Ａは、図１に示すように、水平方向に隣接する各太陽電池モジュール１０の保持枠１２における相互に突き合わせられたそれぞれの縦枠１２ａの下方に沿って配置されている。第１の水切り部材２０Ａは、金属板によって形成されており、水平方向に隣接する各太陽電池モジュール１０の相互に突き合わせられたそれぞれの縦枠１２ａを下側から覆うような幅寸法を有し、また、各側縁部には、上方に向かって立ち上げられた立ち上げ部２１がそれぞれ設けられている。
【００３５】
相互に突き合わされた各縦枠１２ａと、その下方に配置された水切り部材２０Ａとの間には、各縦枠１２ａの下面全体を覆うように板状の弾性シール部材３０Ａが配置されている。
【００３６】
第１の水切り部２０Ａは、太陽電池モジュール１０の保持枠１２を固定するネジ釘４０によって、保持枠１２および弾性シール部材３０Ａと共に、屋根下地５０上の瓦桟７０に固定されている。これにより、相互に突き合わされた各縦枠１２ａを下側から覆う水切り水路が形成される。弾性シール部材３０Ａは、保持枠１２を固定するネジ釘４０によって、保持枠１２及び水切り部材２０Ａと共に、厚み方向に圧縮されて、相互に隣接する一対の太陽電池モジュール１０の各保持枠１２と第１の水切り部２０Ａとの間をシールした状態で固定されている。
【００３７】
第２の水切り部材２０Ｂは、図２に示すように、水平方向の一方の端部に位置する太陽電池モジュール１０と、その太陽電池モジュール１０に隣接する屋根瓦６０との間を防水するために設けられており、その電池モジュール１０の側縁部に沿って配置されている。第２の水切り部材２０Ｂも、金属板によって形成されており、水平方向に隣接する縦枠１２ａを下側から覆うとともに、屋根瓦６０の庇部６２の下方に位置するような幅寸法を有し、また、各側縁部には、上方に向かって立ち上げられた立ち上げ部２２がそれぞれ設けられている。
【００３８】
第２の水切り部材２０Ｂの上方に設けられた縦枠１２ａと、第２の水切り部材２０Ｂとの間には、その縦枠１２ａの下面を覆う板状の弾性シール部材３０Ｂが配置されている。
【００３９】
第２の水切り部２０Ｂも、太陽電池モジュール１０の保持枠１２を固定するネジ釘４０によって、縦枠１２ａおよび弾性シール部材３０Ａと共に、屋根下地５０上の瓦桟７０に固定されている。これにより、屋根瓦６０の庇部６２に隣接する縦枠１２ａを下側から覆うように、水切り水路が形成される。弾性シール部材３０Ａは、保持枠１２を固定するネジ釘４０によって、保持枠１２及び水切り部材２０Ａと共に、厚み方向に圧縮されて、太陽電池モジュール１０の各保持枠１２と第２の水切り部２０Ｂとの間をシールした状態で固定されている。
【００４０】
第３の水切り部材２０Ｃは、図２に示すように、水平方向の他方の端部に位置する太陽電池モジュール１０と、その太陽電池モジュール１０に隣接する屋根瓦６０との間を防水するために設けられており、その電池モジュール１０の側縁部に沿って配置されている。第３の水切り部材２０Ｃも、金属板によって形成されており、屋根瓦６０の突部６３が設けられた支持部６１ａと、その突部６３上に載せられた縦枠１２ａとを下側から覆うような幅寸法を有し、また、各側縁部には、上方に向かって立ち上げられた立ち上げ部２３がそれぞれ設けられている。
【００４１】
第３の水切り部材２０Ｃの上方に設けられた縦枠１２ａと、第２の水切り部材２０Ｂとの間には、屋根瓦６０の突部６３に圧力が加わらないように、その突部６３の厚さよりも若干厚くなった弾性シール部材３０Ｃが配置されている。
【００４２】
第３の水切り部２０Ｃも、太陽電池モジュール１０の保持枠１２を固定するネジ釘４０によって、縦枠１２ａおよび弾性シール部材３０Ｃと共に、屋根下地５０上の瓦桟７０に固定される。これにより、屋根瓦６０の突部６３とこの突部６３に隣接する縦枠１２ａとを下側から覆うように、水切り水路が形成される。弾性シール部材３０Ｃは、保持枠１２の縦枠１２ａを固定するネジ釘４０によって、縦枠１２ａ及び第３の水切り部材２０Ｃと共に、厚み方向に圧縮されて、保持枠１２の縦枠１２ａと第３の水切り部２０Ｃとの間をシールした状態で固定されている。
【００４３】
この場合、弾性シール部材３０Ｃは、屋根瓦６０の突部６３の厚さよりも若干厚くなっているために、その突部６３に圧力が加わるおそれがない。
【００４４】
第１〜第３の各水切り部材３０Ａ〜３０Ｃは、傾斜方向においては、軒側の端部を、軒側に配置された第１〜第３の各水切り部材３０Ａ〜３０Ｃそれぞれの棟側の端部に重ねつつ、配置されている。
【００４５】
本実施形態の太陽電池モジュール取付構造によると、水平方向に隣接する２つの太陽電池モジュール１０の突き合わせ部に隙間ができる。並列する２つの縦枠１２ａ間に形成されるこの隙間は、下方の弾性シール部材３０Ａによりシールされている。このため、隙間からの雨水の侵入及び砂塵の侵入が抑制される。
【００４６】
また、この隙間から雨水が侵入しても、並列する縦枠１２ａの下方に両者に跨がって第１水切り部材２０Ａが配置されて、傾斜方向の水切り水路が形成されているために、その隙間から侵入した雨水は、この水切り部材２０Ａに集められて、軒側へ順次排出される。
【００４７】
この場合、第１の水切り部材２０Ａを流れる雨水の流量は、太陽電池モジュール１０の配置位置によって大きく異なる。即ち、第１の水切り部材２０Ａの雨水の流量は、屋根の棟に近い部分に太陽電池モジュール１０を設置した場合には少ないが、屋根の軒に近い部分に太陽電池モジュール１０を設置した場合には多くなる。従って、屋根の棟に近い部分に太陽電池モジュール１０を設置した場合には、第１の水切り部材２０Ａを、多量の雨水が流れるように、設計変更するにより、弾性シール部材３０Ａによって隣接する太陽電池モジュール１０の間を確実にシールすることができ、太陽電池モジュール本体１１を確実に防水することができるる。
このように、第１の水切り部材２０Ａは、太陽電池モジュール１０の保持枠１２から分離されているために、太陽電池モジュール１０の設置個所にかかわらず、太陽電池モジュール１０の保持枠を特に設計変更する必要がない。
【００４８】
同様に、モジュール列の一方の端部に位置する太陽電池モジュール１０とその外側の屋根瓦６０との突き合わせ部においても、太陽電池モジュール１０の屋根の傾斜方向の設置個所にかかわらず、太陽電池モジュール１０の保持枠１２を特に設計変更することなく、保持枠１２から分離した第２の水切り部材２０Ｂの設計変更によって、弾性シール部材３０Ｂにより、太陽電池モジュール１０と屋根瓦の間を確実にシールすることができ、太陽電池モジュール本体１１を確実に防水することができる。
【００４９】
さらに、同様に、モジュール列の他方の端部に位置する太陽電池モジュール１０とその外側の屋根瓦６０との突き合わせ部においても、太陽電池モジュール１０の屋根の傾斜方向の設置個所にかかわらず、太陽電池モジュール１０の保持枠１２を特に設計変更することなく、保持枠１２から分離した第３の水切り部材２０Ｃの設計変更によって、弾性シール部材３０Ｃにより、太陽電池モジュール１０と屋根瓦６０の間を確実にシールすることができ、太陽電池モジュール本体１１を確実に防水することができる。
【００５０】
図４は弾性シール部材３０の他の例を示している。図４に示す弾性シール部材３０は、下方の水切り部材２０Ａ〜２０Ｃと接触する下面に、幅方向の両側に沿って、下方に突出する突起３１が、一体的に設けられている。一対の突起３１は、下方の水切り部材２０Ａ〜２０Ｃに対して高い押圧力にて接触するために、弾性シール部材３０と下方の水切り部材２０Ａ〜２０Ｃとの接触性が高められ、水切り部材２０Ａ〜２０Ｃとのシール性が向上する。
【００５１】
さらに、図５に示すように、弾性シール部材３０は、上方の太陽電池モジュール１０の縦保持枠１２ａと接触する上面にも、幅方向の両側に沿って、上方に突出する突起３２を一体的に設けられてもよい。この場合には、一対の突起３２によって、上方の縦保持枠１２ａとのシール性も向上することになる。
【００５２】
なお、弾性シール部材３０は、上方の太陽電池モジュール１０の縦保持枠１２ａと接触する上面にのみ、幅方向の両側に沿って、上方に突出する突起３２を一体的に設けられてもよい。
【００５３】
【発明の効果】
本発明の太陽電池モジュール取付構造は、このように、保持枠から分離された水切り部材と、その上方の保持枠との間を弾性シール材によってシールするようになっているために、屋根における傾斜方向のいずれの位置に太陽電池モジュールが配置されても、太陽電池モジュールを設計変更することなく、代替え屋根瓦部の防水効果を高めることができる。
【図面の簡単な説明】
【図１】本発明の太陽電池モジュール取付構造の一部を水平方向について示す縦断面図である。
【図２】本発明の太陽電池モジュール取付構造の別の部分を水平方向について示す縦断面図である。
【図３】本発明の太陽電池モジュール取付構造を傾斜方向について示す横断面図である。
【図４】その太陽電池モジュール取付構造に使用される弾性シール部材の他の例を示す縦断面図である。
【図５】その太陽電池モジュール取付構造に使用される弾性シール部材のさらに他の例を示す縦断面図である。
【図６】従来の太陽電池モジュールの構造を示す縦断面図である。
【符号の説明】
１０　太陽電池モジュール
１１　太陽電池セル
１２　保持枠
１２ａ　縦枠
１２ｂ　保持溝
２０Ａ　第１水切り部材
２０Ｂ　第２水切り部材
２０Ｃ　第３水切り部材
３０Ａ〜３０Ｂ　弾性シール部材
４０　ネジ釘
５０　屋根下地
６０　屋根瓦
７０　瓦桟
【図１】
2004044280.tif 000003
【図２】
2004044280.tif 000004
【図３】
2004044280.tif 000005
【図４】
2004044280.tif 000006
【図５】
2004044280.tif 000007
【図６】
2004044280.tif 000008